(57)【要約】【課題】道路脇にあるグレーチングや側溝蓋などを利用して、転倒したり移動したり飛散したりしない状態に看板を設置することができる新規な看板設置具を提供すること。【解決手段】看板１に掛止し得る掛止部２の下方に、グレーチングや側溝蓋３Ａなどの溝蓋３に貫通形成されたスリット開口部４に差し込み挿入する挿入部５を連設し、この挿入部５に、前記スリット開口部４より挿入でき且つスリット開口部４に挿入した挿入部５を回転することで前記溝蓋３の下面に当接可能となるストッパ部６を設けて、このストッパ部６が溝蓋３の下面に当接することで挿入部５がスリット開口部４より抜止状態となるように構成し、このストッパ部６より上方側の挿入部５に、溝蓋３に係止して挿入部５及びストッパ部６を溝蓋３に対し回り止め状態とする係止部７を設けて、この係止部７を溝蓋３に係止することで前記ストッパ部６の溝蓋３の下面に当接可能な状態が回り止め状態に保持される構成とした看板設置具。【選択図】        図２
2004212881.tif 000002
【特許請求の範囲】
【請求項１】
看板に掛止し得る掛止部の下方に、グレーチングや側溝蓋などの溝蓋に貫通形成されたスリット開口部に差し込み挿入する挿入部を連設し、この挿入部に、前記スリット開口部より挿入でき且つスリット開口部に挿入した挿入部を回転することで前記溝蓋の下面に当接可能となるストッパ部を設けて、このストッパ部が溝蓋の下面に当接することで挿入部がスリット開口部より抜止状態となるように構成し、このストッパ部より上方側の挿入部に、溝蓋に係止して挿入部及びストッパ部を溝蓋に対し回り止め状態とする係止部を設けて、この係止部を溝蓋に係止することで前記ストッパ部の溝蓋の下面に当接可能な状態が回り止め状態に保持される構成としたことを特徴とする看板設置具。
【請求項２】
前記係止部は、前記挿入部に対してスライド移動自在に設けたことを特徴とする請求項１記載の看板設置具。
【請求項３】
前記掛止部は、看板の桟杆などに巻き回して緊張掛止できるストラップベルトを採用し、看板の桟杆などに巻き回したこのストラップベルトを緊張調整することで前記ストッパ部を前記溝蓋の下面に当接せしめ得るように構成したことを特徴とする請求項１，２のいずれか１項に記載の看板設置具。
【請求項４】
前記ストッパ部は、前記挿入部の挿入方向と直交する方向に長さを有すると共に、このストッパ部の長さ寸法を前記スリット開口部の長さ幅よりも短く設定し、このストッパ部の長さ方向と前記スリット開口部の長さ方向とを略同じ向きに合わせることでストッパ部をスリット開口部から前記溝蓋の下方に挿入でき、且つスリット開口部から挿入したストッパ部を回転してストッパ部の長さ方向とスリット開口部の長さ方向とを異なる向きにずらすことでこのストッパ部が溝蓋の下面に当接可能となるように構成したことを特徴とする請求項１〜３のいずれか１項に記載の看板設置具。
【請求項５】
前記係止部は、前記溝蓋のスリット開口部に嵌合係止することで前記挿入部及び前記ストッパ部が溝蓋に対し回り止め状態となるように構成すると共に、この係止部は、前記ストッパ部を前記スリット開口部に挿入した後、前記挿入部を９０度程回転させることでスリット開口部に嵌合係止し得るように構成したことを特徴とする請求項４記載の看板設置具。
【請求項６】
帯状の前記挿入部の一端部に前記掛止部を連設し、この挿入部の他端部に前記ストッパ部を設け、この挿入部の途中部に前記係止部を設けて成ることを特徴とする請求項１〜５のいずれか１項に記載の看板設置具。
【発明の詳細な説明】
【０００１】
【発明の属する技術分野】
本発明は、道路脇にあるグレーチングや側溝蓋などを利用して看板を安定的に設置できる看板設置具に関するものである。
【０００２】
【従来の技術及び発明が解決しようとする課題】
従来、この種の看板設置具としては、例えば、特開２００１−１６６６９７号や特開２００２−６９９４７号のように、ガードレールやガードケーブルに対して看板を取り付けできるものがある。
【０００３】
本発明は、この点、道路脇にあるグレーチングや側溝蓋などを利用して、転倒したり移動したり飛散したりしない状態に看板を設置することができる新規な看板設置具を提供するものである。
【０００４】
【課題を解決するための手段】
添付図面を参照して本発明の要旨を説明する。
【０００５】
看板１に掛止し得る掛止部２の下方に、グレーチングや側溝蓋３Ａなどの溝蓋３に貫通形成されたスリット開口部４に差し込み挿入する挿入部５を連設し、この挿入部５に、前記スリット開口部４より挿入でき且つスリット開口部４に挿入した挿入部５を回転することで前記溝蓋３の下面に当接可能となるストッパ部６を設けて、このストッパ部６が溝蓋３の下面に当接することで挿入部５がスリット開口部４より抜止状態となるように構成し、このストッパ部６より上方側の挿入部５に、溝蓋３に係止して挿入部５及びストッパ部６を溝蓋３に対し回り止め状態とする係止部７を設けて、この係止部７を溝蓋３に係止することで前記ストッパ部６の溝蓋３の下面に当接可能な状態が回り止め状態に保持される構成としたことを特徴とする看板設置具に係るものである。
【０００６】
また、前記係止部７は、前記挿入部５に対してスライド移動自在に設けたことを特徴とする請求項１記載の看板設置具に係るものである。
【０００７】
また、前記掛止部２は、看板１の桟杆１Ａなどに巻き回して緊張掛止できるストラップベルト２を採用し、看板１の桟杆１Ａなどに巻き回したこのストラップベルト２を緊張調整することで前記ストッパ部６を前記溝蓋３の下面に当接せしめ得るように構成したことを特徴とする請求項１，２のいずれか１項に記載の看板設置具に係るものである。
【０００８】
また、前記ストッパ部６は、前記挿入部５の挿入方向と直交する方向に長さを有すると共に、このストッパ部６の長さ寸法を前記スリット開口部４の長さ幅よりも短く設定し、このストッパ部６の長さ方向と前記スリット開口部４の長さ方向とを略同じ向きに合わせることでストッパ部６をスリット開口部４から前記溝蓋３の下方に挿入でき、且つスリット開口部４から挿入したストッパ部６を回転してストッパ部６の長さ方向とスリット開口部４の長さ方向とを異なる向きにずらすことでこのストッパ部６が溝蓋３の下面に当接可能となるように構成したことを特徴とする請求項１〜３のいずれか１項に記載の看板設置具に係るものである。
【０００９】
また、前記係止部７は、前記溝蓋３のスリット開口部４に嵌合係止することで前記挿入部５及び前記ストッパ部６が溝蓋３に対し回り止め状態となるように構成すると共に、この係止部７は、前記ストッパ部６を前記スリット開口部４に挿入した後、前記挿入部５を９０度程回転させることでスリット開口部４に嵌合係止し得るように構成したことを特徴とする請求項４記載の看板設置具に係るものである。
【００１０】
また、帯状の前記挿入部５の一端部に前記掛止部２を連設し、この挿入部５の他端部に前記ストッパ部６を設け、この挿入部５の途中部に前記係止部７を設けて成ることを特徴とする請求項１〜５のいずれか１項に記載の看板設置具に係るものである。
【００１１】
【発明の実施の形態】
好適と考える本発明の実施の形態（発明をどのように実施するか）を、図面に基づいてその作用効果を示して簡単に説明する。
【００１２】
例えば、先ず、グレーチングや側溝蓋３Ａなどの溝蓋３に貫通形成されたスリット開口部４に、挿入部５を差し込み挿入してストッパ部６を溝蓋３の下方に位置させる。
【００１３】
次いで、挿入部５を回転させてストッパ部６が溝蓋３の下面に当接可能な状態とし、係止部７を溝蓋３に係止する。すると、係止部７によって挿入部５及びストッパ部６が溝蓋３に対して回り止め状態となり、挿入部５がスリット開口部４より抜け出ようとしてもストッパ部６が溝蓋３の下面に当接することで阻止される状態となる。
【００１４】
次いで、掛止部２を看板１に掛止する。
【００１５】
このようにして設置した看板１は、強風に煽られたりしてもストッパ部６が溝蓋３の下面に当接することで本発明品の溝蓋３からの抜脱が確実に阻止されるため、転倒したり移動したり飛散したりすることなく、この設置状態が極めて安定的に維持されることになる。
【００１６】
また、例えば、前記係止部７は、前記挿入部５に対してスライド移動自在に設ければ、利用する溝蓋３の厚みに応じて係止部７をスライド移動させて、確実に係止部７を溝蓋３に係止することができ、これにより溝蓋３の厚み（種類）にかかわらず本発明品を使用して看板１を安定的に設置できることとなり、一層実用的となる。
【００１７】
また、例えば、前記掛止部２は、看板１の桟杆１Ａなどに巻き回して緊張掛止できるストラップベルト２を採用し、看板１の桟杆１Ａなどに巻き回したこのストラップベルト２を緊張調整することで前記ストッパ部６を前記溝蓋３の下面に当接せしめ得るように構成すれば、看板１に対して掛止部２（ストラップベルト）を極めて容易に掛止できることとなり、しかも利用する溝蓋７の厚みにかかわらず、ストラップベルト２を緊張調整することで確実にストッパ部６を溝蓋３の下面に当接した状態にして看板１を設置できるため、これにより看板１を確実にガタつかない状態で設置できることになるなど、一層実用的となる。
【００１８】
また、例えば、前記ストッパ部６は、前記挿入部５の挿入方向と直交する方向に長さを有すると共に、このストッパ部６の長さ寸法を前記スリット開口部４の長さ幅よりも短く設定し、このストッパ部６の長さ方向と前記スリット開口部４の長さ方向とを略同じ向きに合わせることでストッパ部６をスリット開口部４から前記溝蓋３の下方に挿入でき、且つスリット開口部４から挿入したストッパ部６を回転してストッパ部６の長さ方向とスリット開口部４の長さ方向とを異なる向きにずらすことでこのストッパ部６が溝蓋３の下面に当接可能となるように構成すれば、スリット開口部４より挿入でき且つスリット開口部４に挿入した挿入部５を回転することで前記溝蓋３の下面に当接可能となるストッパ部６を簡易構成により容易に設計実現可能となり、一層実用的となる。
【００１９】
また、例えば、前記係止部７は、前記溝蓋３のスリット開口部４に嵌合係止することで前記挿入部５及び前記ストッパ部６が溝蓋３に対し回り止め状態となるように構成すると共に、この係止部７は、前記ストッパ部６を前記スリット開口部４に挿入した後、前記挿入部５を９０度程回転させることでスリット開口部４に嵌合係止し得るように構成すれば、溝蓋３に対して挿入部５及びストッパ部６を回り止め状態にして係止する構造の係止部７を簡易に設計実現可能となり、しかも係止部７がスリット開口部４に嵌合係止した際には、ストッパ部６の長さ方向とスリット開口部４の長さ方向の向きとが大きく異なることとなってストッパ部６が溝蓋３の下面に確実に当接可能な状態となるため、確実に本発明品の溝蓋３からの抜け止めを阻止でき、一層実用的となる。
【００２０】
また、例えば、帯状の前記挿入部５の一端部に前記掛止部２を連設し、この挿入部５の他端部に前記ストッパ部６を設け、この挿入部５の途中部に前記係止部７を設けて成る構成とすれば、上記作用効果を確実に発揮する本発明品を簡易に設計実現可能となり、一層実用的となる。
【００２１】
【実施例】
本発明の具体的な実施例について図面に基づいて説明する。
【００２２】
本実施例は、図１に示すように、帯状の前記挿入部５の一端部に前記掛止部２を連設し、この挿入部５の他端部に前記ストッパ部６を設け、この挿入部５の途中部に前記係止部７を設けた構成としている。
【００２３】
具体的に説明すると、挿入部５は、長尺な帯状の金属板で構成している。
【００２４】
この挿入部５の一端部に連設する掛止部２は、バックル２Ａで緊張調整可能なストラップベルト２を採用して構成している。
【００２５】
この掛止部２と挿入部５との連結構造は、挿入部５の一端部（上端部）に角形の連結環８を設け、この連結環８を介してストラップベルト２を連結した構成としている。
【００２６】
前記ストッパ部６は、挿入部５と同様の帯状の金属板で構成し、この帯状のストッパ部６を挿入部５と直交状態となるようにして設けている。
【００２７】
また、このストッパ部６は、図１に示すように長さ寸法をグレーチングや側溝蓋３Ａなどの溝蓋３に貫通形成されているスリット開口部４の長さ幅よりも短く設定し、このストッパ部６の長さ方向と前記スリット開口部４の長さ方向とを略同じ向きに合わせることでストッパ部６をスリット開口部４から溝蓋３の下方に挿入でき、且つスリット開口部４から挿入したストッパ部６を回転してストッパ部６の長さ方向とスリット開口部４の長さ方向とを異なる向きにずらすことでこのストッパ部６が溝蓋３の下面に当接可能となるように構成している。
【００２８】
また、このストッパ部６は、挿入部５に対して回動自在に枢着した構成とし、長さ幅がなく非常に細いスリット開口部４に対してもストッパ部６を回転させて縦にすることで容易に挿入することができるように構成している。
【００２９】
前記係止部７は、溝蓋３の上面に載置当接する載置面部７Ａと、溝蓋３のスリット開口部４に嵌合係止する嵌合部７Ｂとを備えている。また、この係止部７は、一枚の板材で一体的に構成することでコスト安となるようにしている。
【００３０】
具体的に説明すると、一枚の金属板の対向両側部を断面コ字状に折曲形成し、この対向両側のコ字形部を前記嵌合部７Ｂとし、この対向両側の嵌合部７Ｂ間に存する平板部を前記載置面部７Ａとしている。
【００３１】
従って、この嵌合部７Ｂをスリット開口部４に嵌合すると、載置面部７Ａも溝蓋３の上面に載置当接する構成とし、これにより係止部７は、スリット開口部４から溝蓋３の下方へ落下することなく、溝蓋３に対して回り止め状態で係止する構成としている。
【００３２】
また、この嵌合部７Ｂは、コ字形垂下遊離端間の間隔を、前記スリット開口部４の長さ幅と直交する短方向の幅に略合致する間隔幅に設定し、この嵌合部７Ｂをスリット開口部４に嵌合した際には、この嵌合部７Ｂと載置面部７Ａとを構成する一枚の金属板（係止部７）が溝蓋３に対して回り止め状態となるように構成している。
【００３３】
また、この係止部７の挿入部５への取付構造は、係止部７を構成する金属板の中央部に帯状の挿入部５の断面形状に略合致するスリット状の取付穴７Ｃを形成し、この取付穴７Ｃに単に帯状の挿入部５を挿入した構成としている。
【００３４】
即ち、取付穴７Ｃと挿入部５との形を合わせたことで、この係止部７がスリット開口部４に嵌合係止した際には、挿入部５及びストッパ部６も溝蓋３に対して回り止め状態となるように構成している。
【００３５】
また、この係止部７は、取付穴７Ｃを介して前記掛止部２と前記ストッパ部６との間で挿入部５に対しスライド自在となるように設け、これにより溝蓋３の厚さに応じて係止部７の位置を自由にスライドさせてスリット開口部４に嵌合係止させることができる構成としている。
【００３６】
また、本実施例では、嵌合部７Ｂの対向方向と前記ストッパ部６の長さ方向との関係が略直交関係となるように構成している。従って、ストッパ部６をスリット開口部４に挿入した後、挿入部５を略９０度回転させるとスリット開口部４に嵌合部７Ｂを嵌合係止させることが可能となり、これによりストッパ部６の長さ方向とスリット開口部４の長さ方向との関係が略直交状態となって挿入部５を上方へ引きあげてもストッパ部６が溝蓋３の下面に当接して抜け止め状態となるように構成している。
【００３７】
次に、本実施例の具体的な使用方法を説明する。
【００３８】
本実施例では、図２に示すように、看板１として道路工事現場などで多く見られる略逆Ｖ型にして設置される工事用看板１を採用している。また、溝蓋３は、側溝溝３Ａを採用した場合を示している。
【００３９】
先ず、側溝蓋３Ａの周縁部に貫通形成されたスリット開口部４に、挿入部５を差し込み挿入してストッパ部６を溝蓋３の下方に位置させる。
【００４０】
次いで、挿入部５を略９０度回転させ、嵌合部７Ｂをスリット開口部４に嵌合させると共に載置面部７Ａを側溝蓋３Ａの上面に載置すると、嵌合部７Ｂとスリット開口部４との嵌合関係によって挿入部５及びこの挿入部５の下端のストッパ部６が回り止め状態に維持されると共に、載置面部７Ａが側溝蓋３Ａの上面に載置当接することによって係止部７が側溝蓋３Ａの下方へ落下することが阻止される。また、この際、前記ストッパ部６は側溝蓋３Ａの下面に当接可能な状態となり、挿入部５がスリット開口部４より抜け出ようとしてもストッパ部６が側溝蓋３Ａの下面に当接して阻止されることになる。
【００４１】
次いで、この本看板設置具を設置した側溝蓋３Ａの上方に、支持脚１Ｂを開いて看板１を設置し、ストラップベルト２を看板１裏面側の中桟杆１Ａに巻き回し緊張して前記ストッパ部６を側溝蓋３Ａの下面に当接させると共に、ストラップベルト２及び挿入部５が略一直線状に垂下するように看板１の位置を決めて設置作業終了となる。
【００４２】
すると、ストッパ部６が側溝蓋３Ａの下面に常に当接した状態で回り止め保持されるために、看板１が強風に煽られたりしても、本実施例の看板設置具が側溝蓋３Ａから抜脱することは確実に阻止されると共に、ガタつくことも防止され、看板１の転倒、移動、飛散を確実に防止することができることになる。
【００４３】
尚、本発明は、本実施例に限られるものではなく、各構成要件の具体的構成は適宜設計し得るものである。
【００４４】
【発明の効果】
本発明は上述のように構成したから、グレーチングや側溝蓋などの溝蓋を利用して、看板を転倒したり移動したり飛散したりすることのない安定状態に設置することができる極めて実用性に秀れた画期的な看板設置具となる。
【００４５】
また、請求項２記載の発明においては、利用する溝蓋の厚みに応じて係止部をスライド移動させることができるため、確実に係止部を溝蓋に係止させてストッパ部を回り止め状態にすることができることとなり、溝蓋の厚み（種類）にかかわらず、本発明品を使用して看板を安定的に設置できることとなる一層実用性に秀れた構成の看板設置具となる。
【００４６】
また、請求項３記載の発明においては、看板に対して掛止部（ストラップベルト）を極めて容易に掛止できることとなり、しかも利用する溝蓋の厚みにかかわらず、ストラップベルトを緊張調整することで確実にストッパ部を溝蓋の下面に当接した状態にして看板を設置できるため、確実にガタつくことのない安定状態で看板を設置することができる一層実用性に秀れた看板設置具となる。
【００４７】
また、請求項４記載の発明においては、スリット開口部より挿入でき且つスリット開口部に挿入した挿入部を回転することで前記溝蓋の下面に当接可能となるストッパ部を簡易構成により容易に設計実現可能となる一層実用性に秀れた構成の看板設置具となる。
【００４８】
また、請求項５記載の発明においては、溝蓋に対して挿入部及びストッパ部を回り止め状態にして係止する構造の係止部を簡易に設計実現可能となり、しかも係止部がスリット開口部に嵌合係止した際には、ストッパ部の長さ方向とスリット開口部の長さ方向の向きとが大きく異なることとなってストッパ部が溝蓋の下面に確実に当接可能な状態となるため、確実に本発明品の溝蓋からの抜け止めを阻止できることになる一層実用性に秀れた構成の看板設置具となる。
【００４９】
また、請求項６記載の発明においては、上記作用効果を確実に発揮する本発明品を簡易に設計実現可能となる一層実用性に秀れた看板設置具となる。
【図面の簡単な説明】
【図１】本実施例を示す斜視図である。
【図２】本実施例の使用状態を示す説明図である。
【符号の説明】
１  看板
１Ａ  桟杆
２  掛止部（ストラップベルト）
３  溝蓋
３Ａ  側溝蓋
４  スリット開口部
５  挿入部
６  ストッパ部
７  係止部
【図１】
2004212881.tif 000003
【図２】
2004212881.tif 000004